(57)【要約】【課題】マイクロホンユニット背後の空気室の容積を大きく確保することができ、組み立てが容易で、空気室の気密性を容易に確保することができ、メンテナンスが容易であり、気圧の変化で振動板が変位することを防止できる無指向性マイクロホンを得る。【解決手段】筒形のグリップ筐体１０と、グリップ筐体の一端部に組み付けられたダイナミックマイクロホンユニット２０、グリップ筐体１０の他端部内周に組み込まれたコネクタアセンブリ３２を具備し、ダイナミックマイクロホンユニット２０とコネクタアセンブリ３２で画されたグリップ筐体１０の内部空間が空気室１５となっていて、コネクタアセンブリ３２は、グリップ筐体１０の内周に嵌る筒形のコネクタケース４２と、コネクタケース４２内に嵌め込まれたピンインサート３４を備えている。【選択図】図１
2008053807.tif 000002
【特許請求の範囲】
【請求項１】
筒形のグリップ筐体と、
グリップ筐体の一端部に組み付けられたダイナミックマイクロホンユニットと、
グリップ筐体の他端部内周に組み込まれたコネクタアセンブリと、を具備し、
ダイナミックマイクロホンユニットとコネクタアセンブリで画されたグリップ筐体の内部空間が空気室となっていて、
上記コネクタアセンブリは、グリップ筐体の内周に嵌る筒形のコネクタケースと、このコネクタケース内に嵌め込まれたピンインサートを備えている無指向性ダイナミックマイクロホン。
【請求項２】
コネクタアセンブリは、グリップ筐体の内周に着脱可能である請求項１記載の無指向性ダイナミックマイクロホン。
【請求項３】
コネクタアセンブリは、止めねじによってグリップ筐体から抜け止めされている請求項２記載の無指向性ダイナミックマイクロホン。
【請求項４】
グリップ筐体の他端部内周には拡径部が段状に形成されていて、この拡径部にコネクタアセンブリが嵌められている請求項１記載の無指向性ダイナミックマイクロホン。
【請求項５】
グリップ筐体の内周面とコネクタアセンブリの外周面の間には、空気室と外気を連通させる隙間が形成されている請求項１乃至４のいずれかに記載の無指向性ダイナミックマイクロホン。
【請求項６】
ピンインサートは、絶縁材からなるベースと、ベースを貫いてベースと一体に設けられた複数のピンおよび接地用端子板を備えている請求項１記載の無指向性ダイナミックマイクロホン。
【請求項７】
接地用端子板は、止めねじがねじ込まれるねじ孔を有する請求項６記載の無指向性ダイナミックマイクロホン。
【発明の詳細な説明】
【技術分野】
【０００１】
本発明は、無指向性ダイナミックマイクロホンに関するもので、特に、マイクロホンユニットの背部に形成される空気室と出力コネクタとの気密構造に関するものである。
【背景技術】
【０００２】
無指向性ダイナミックマイクロホンは、マイクロホンユニットの背部に空気室を設ける必要がある。この空気室には音波が入り込まないように構成するのが一般的である。マイクロホンユニットの前部以外から音波が入り込むと、指向周波数応答が劣化し、無指向性ダイナミックマイクロホンとしては欠陥品となるからである。
【０００３】
その反面、無指向性ダイナミックマイクロホンにおいて、例えば細いパイを用いて、ごく低い周波数の音波が空気室に入り込むように設計される例がある。その理由の一つは、低域の周波数応答を改善するためである。別の理由は、気圧の空隙な変化で振動板が異常に変位することを防止するためである。すなわち、マイクロホンユニットの背部の空気室が密閉されていると、大気圧の変化によってマイクロホンユニットの振動板（ダイヤフラム）が前後に変位するからである。
マイクロホンユニットの背部の空気室は、容積が大きいほど周波数応答の良好なマイクロホンとすることができるため、マイクロホンケースの後端部に設けられる出力コネクタの直近まで空気室となるように構成することが多い。
【０００４】
ここで、構造的に無指向性ダイナミックマイクロホンに近い単一性ダイナミックマイクロホンの公知例について説明する。本発明者の発明にかかる特許文献１記載の発明がその例で、グリップ筐体の一端側でマイクロホンユニットを支持し、他端側に出力コネクタを装着し、グリップ筐体内にマイクロホンユニットの音響回路の一部として空気室を設け、内部が空洞で上記空気室を構成する円筒状のキャビティスリーブを、上記グリップ筐体内にゴム弾性を有するショックマウント部材を介して支持してなるものである。
【０００５】
【特許文献１】特開２００５−２７７６５２号公報
【０００６】
図４は、従来の単一指向性ダイナミックマイクロホンの例を示す。図４において、円筒形状のグリップ筐体１０の前端部（図４において上端部）外周にはユニットケース１２の後端部が結合され、ユニットケース１２の前側の開口端にはフロントメッシュ１４が結合されている。ユニットケース１２の後端部内周側にはゴム状の弾性体からなるショックマウント１６を介してマイクロホンユニット支持体１８が保持されている。マイクロホンユニット支持体１８の前端部外周も、適宜の弾性体を介してユニットケース１２によって押さえられている。支持体１８の前端部内周側にはダイナミックマイクロホンユニット２０が支持されている。ダイナミックマイクロホンユニット２０は、永久磁石とヨークからなる磁気回路と、この磁気回路の一部に形成された円筒形状の磁気ギャップと、この磁気ギャップ内に配置されたボイスコイルと、このボイスコイルと一体に設けられた振動板（ダイヤフラム）２６を備えている。マイクロホンユニット２０は、前側音響端子と後ろ側音響端子を有している。
【０００７】
グリップ筐体１０の後端部内方にはピンインサート３４が組み込まれて出力コネクタ部３０が構成されている。ピンインサート３４は、樹脂の一体成形などによって形成された円柱状のベース３８と、ベース３８と一体にかつベース３８を厚さ方向に貫いて設けられたピン３６と、接地用端子板４０を備えている。出力コネクタ部３０は、ＥＩＡＪ  ＲＣ−５２３６「音響機器用ラッチロック式丸型コネクタ」で規定されるコネクタで、ピン３６は、接地用の１番ピン、信号のホット側として用いられる２番ピン、信号のコールド側として用いられる３番ピンからなる。図４には２本のピンのみが描かれている。上記ベース３８には外周側から半径方向に止めねじ４４が挿入され、止めねじ４４は接地用端子板４０に形成されたねじ孔にねじ込まれて接地用端子板４０を厚さ方向に貫いている。グリップ筐体１０には、止めねじ４４に対応する位置にドライバ挿入孔が設けられていて、ドライバ挿入孔から挿入したドライバによって止めねじ４４を回転させることができるようになっている。止めねじ４４を回転させてベース８の半径方向外方に向けて突出させることにより、止めねじ４４の肩に相当する部分をグリップ筐体１０の内周面に当接させ、ピンインサート３４をグリップ筐体１０内に固定してコネクタ部３０を構成している。コネクタ部３０には、図示されないマイクロホンケーブルの端部に設けられたケーブル側コネクタを差し込むことができ、マイクロホンとケーブルを電気的に結合することができる。
【０００８】
グリップ筐体１０の内部空間は、マイクロホンユニット２０の後部音響端子に連通する空気室１５となっていて、空気室１５の後端はピンインサート３４で区切られている。前述のとおり、空気室１５には音波が入り込まないように、空気室１５を密閉するのが一般的である。空気室１５を密閉するためには出力コネクタ部３０において密閉構造にする工夫が必要である。すなわち、ピンインサート３４をグリップ筐体１０に挿入するためにはピンインサート３４の外径をグリップ筐体１０の内径よりも小さくする必要があり、止めねじ４４によってピンインサート３４をグリップ筐体１０内に固定すると、ピンインサート３４のベース３８の外周面とグリップ筐体１０の内周面との間に隙間ができる。一方、空気室１５の容積は大きいことが望ましいので、グリップ筐体１５の後端部の出力コネクタ部３０において密閉構造にすることが望まれる。そこで、従来の無指向性ダイナミックマイクロホンにおいては、図５乃至図７に示すような、出力コネクタ部３０における各種の密閉構造が提案されている。
【０００９】
図５に示す密閉構造は、グリップ筐体１０の内方に、ピンインサート３４よりも奥側に近接させてスポンジ５０を嵌め込み、ピンインサートの各ピンに接続したリード線４８をスポンジ５０の貫通孔に通し、この貫通孔とリード線４８との間の隙間を接着剤で埋めたものである。
この密閉構造によれば、スポンジ５０を配置する必要があるため、その分空気室１５の容積が減少する難点があるが、組み立てやすいという利点がある。なお、マイクロホンを組み立てた後音響測定をし、コネクタ部３０の密閉構造部分から漏洩があることが分かった場合は、分解して再度組み立てる必要があるが、コネクタ部３０が不良である場合の修理は比較的容易である。
【００１０】
図６に示す密閉構造は、グリップ筐体１０の内側から、ピンインサート３４のベース３８の外周とグリップ筐体１０の内周面との間にシーラント５２を塗布したものである。
この密閉構造によれば、マイクロホンユニットを組み込む前に、グリップ筐体１０の前端側から奥まった位置にある上記ベース３８の周囲にシーラント５２を塗布しなければならないので、密閉構造にするための作業が困難である。反面、シーラントが外観に現れないので、外観を損なわない利点がある。しかし、コネクタ部３０が不良になった場合の修理はきわめて困難である。
【００１１】
図７に示す密閉構造は、グリップ筐体１０の外側から、ピンインサート３４のベース３８の外周とグリップ筐体１０の内周面との間にシーラント５２を塗布したものである。
この密閉構造によれば、シーラント５２の塗布作業は容易であるが、シーラント５２が外観に現れるので、外観を損ねる難点がある。また、シーラント５２が外側にあるとはいえ、コネクタ部３０が不良になった場合などのメンテナンスは、硬化したシーラント５２を除去する必要があってきわめて困難である。
【発明の開示】
【発明が解決しようとする課題】
【００１２】
本発明は、以上説明した従来技術の問題点を解消すること、すなわち、マイクロホンユニット背後の空気室の容積を大きく確保することができ、組み立てが容易で、空気室の気密性を容易に確保することができ、メンテナンスが容易な無指向性マイクロホンを提供することを目的とする。
本発明はまた、低域の周波数応答を改善するため、また、気圧の急激な変化で振動板が異常に変位することを防止するために、空気室と外部をごく低い周波数の音波で結合させたい場合、グリップ筐体の内周面とコネクタ部の外周面の隙間を活用することができる無指向性マイクロホンを提供することを目的とする。
【課題を解決するための手段】
【００１３】
本発明は、筒形のグリップ筐体と、グリップ筐体の一端部に組み付けられたダイナミックマイクロホンユニット、グリップ筐体の他端部内周に組み込まれたコネクタアセンブリと、を具備し、ダイナミックマイクロホンユニットとコネクタアセンブリで画されたグリップ筐体の内部空間が空気室となっていて、上記コネクタアセンブリは、グリップ筐体の内周に嵌る筒形のコネクタケースと、このコネクタケース内に嵌め込まれたピンインサートを備えていることを最も主要な特徴とする。
コネクタアセンブリは、グリップ筐体の内周に着脱可能にしてもよい。
コネクタアセンブリは、止めねじによってグリップ筐体から抜け止めする構成にしてもよい。
グリップ筐体の他端部内周に拡径部を段状に形成し、この拡径部にコネクタアセンブリを嵌める構成にしてもよい。
【発明の効果】
【００１４】
本発明によれば、グリップ筐体の一端部内周にコネクタアセンブリを組み込むだけで、ダイナミックマイクロホンユニットとコネクタアセンブリで画されたグリップ筐体の内部空間を気密にした空気室を形成することができ、組み立ての容易な無指向性ダイナミックマイクロホンを得ることができる。
グリップ筐体の内部空間を気密にするための別部品を必要とせず、コネクタアセンブリをグリップ筐体内に組み込むだけで空気室を形成することができるので、空気室の容積を大きく確保することができる。
コネクタアセンブリは必要に応じてグリップ筐体から容易に取り外すことができるので、メンテナンスが容易である。
【発明を実施するための最良の形態】
【００１５】
以下、本発明にかかる無指向性ダイナミックマイクロホンの実施例について図１ないし図３を参照しながら説明する。図４乃至図７に示す従来例の構成と同じ構成部分には同じ符号を付してある。
図１乃至図３において、円筒形状のグリップ筐体１０の前端部（図１において上端部）外周にはユニットケース１２の後端部が結合され、ユニットケース１２の前側の開口端には適宜の介在部材を介してフロントメッシュ１４が結合されている。ユニットケース１２の後端部内周側にはゴム状の弾性体からなるショックマウント１６を介して円筒形状のマイクロホンユニット支持体１８が保持されている。マイクロホンユニット支持体１８の前端部外周も、適宜の弾性体を介してユニットケース１２によって押さえられている。マイクロホンユニット支持体１８の前端部内周側にはダイナミックマイクロホンユニット２０が支持されている。グリップ筐体１０は導電性の材料、例えばアルミダイキャストからなる。
【００１６】
ダイナミックマイクロホンユニット２０は、永久磁石とヨークからなる磁気回路と、この磁気回路の一部に形成された円筒形状の磁気ギャップと、この磁気ギャップ内に配置されたボイスコイル２４と、このボイスコイル２４と一体に設けられた振動板（ダイヤフラム）２６を備えている。マイクロホンユニット２０は、前側音響端子と後ろ側音響端子を有している。
【００１７】
グリップ筐体１０の後端部内方にはコネクタアセンブリ３２が組み込まれることによって出力コネクタ部３０が構成されている。コネクタアセンブリ３２は、コネクタケース４２と、このコネクタケース４２内に組み込まれたピンインサート３４を具備してなる。コネクタケース４２は、例えば金属材料からなる有底円筒状部材の底部に円形の窓孔を形成した形になっている。上記ピンインサート３４は、樹脂の一体成形などによって形成された円柱状のベース３８と、ベース３８と一体にかつベース３８を厚さ方向に貫いて設けられたピン３６と、接地用端子板４０を備えている。ベース３８はコネクタケース４２の奥側の端部に嵌るとともに、ベース３８の一部はコネクタケース４２の上記窓孔の縁部にまたがって係合することにより、コネクタケース４２と一体に結合されている。
【００１８】
出力コネクタ部３０は、ＥＩＡＪ  ＲＣ−５２３６「音響機器用ラッチロック式丸型コネクタ」で規定されるコネクタで、ピンインサート３４は３本のピン３６を備えている。すなわち、ピン３６は、接地用の１番ピン、信号のホット側として用いられる２番ピン、信号のコールド側として用いられる３番ピンからなる。図１乃至図３には２本のピンのみが描かれている。上記ベース３８には外周側から半径方向に止めねじ４４が挿入され、止めねじ４４は接地用端子板４０に形成されたねじ孔にねじ込まれて接地用端子板４０を厚さ方向に貫いている。上記３本のピン３６と接地用端子板４０は、ベース３８の樹脂による一体成形時に、いわゆるインサート成形により一体成形することによって製作することができる。
【００１９】
止めねじ４４は、その主体となっているねじ部と、ねじ部の一端側に形成された小径部とからなり、ねじ部と小径部との間に段部が形成されている。小径部にはドライバによって止めねじ４４を回転させることができるように摺り割りが形成されている。コネクタケース４２には、止めねじ４４の上記小径部と対応する位置に、この小径部とほぼ同じ径の孔が形成されていて、この孔に止めねじ４４の上記小径部がコネクタケース４２内周側から外方に向かって嵌っている。
【００２０】
上記のように構成されたコネクタアセンブリ３２がグリップ筐体１０の他端部内周に嵌められている。グリップ筐体１０の他端部内周は内径が拡張された拡径部１１となっていて、グリップ筐体１０の内径と上記拡径部１１との間に段部１７（図２参照）が形成されている。コネクタアセンブリ３２は、グリップ筐体１０の上記拡径部１１に挿入され、コネクタアセンブリ３２の奥端が上記段部１７に当たって、コネクタアセンブリ３２の挿入位置が規制されている。グリップ筐体１０には、上記のようにコネクタアセンブリ３２の挿入位置が規制された状態で、止めねじ４４に対応する位置にドライバ挿入孔１３が設けられている。ドライバ挿入孔１３ドライバを挿入し、ドライバによって止めねじ４４を回転させることができるようになっている。
【００２１】
止めねじ４４を回転させてベース８の半径方向外方に向けて突出させ、さらに、止めねじ４４の小径部をグリップ筐体１０のドライバ挿入孔１３に内方から進入させることにより、コネクタアセンブリ３２がグリップ筐体１０から抜け落ちるのを防止している。また、上記のようにして止めねじ４４をベース８から突出させ、止めねじ４４の肩に相当する上記段部をコネクタケース４２の内周面に当接させることにより、ピンインサート３４とコネクタケース４２をより強固に結合している。コネクタ部３０には、図示されないマイクロホンケーブルの端部に設けられたケーブル側コネクタを差し込むことができ、マイクロホンとケーブルを電気的に結合することができる。
【００２２】
接地用端子板４０は、出力コネクタ部３０に接続されるケーブル側コネクタを介してマイクロホンケーブルのシールド線と電気的に接続されるとともに、導電性材料からなるグリップ筐体１０に電気的に接続され、グリップ筐体１０を握ることによって生じる雑音や外部からの電磁的な雑音がマイクロホンユニット２０、それに付属する回路に侵入することを防止するようになっている。
【００２３】
以上のように、本発明にかかる無指向性ダイナミックマイクロホンの実施例は、グリップ筐体１０の一端部にダイナミックマイクロホンユニット２０を組み付け、ピンインサート３４とこのピンインサート３４が嵌め込まれたコネクタケース４２からなるコネクタアセンブリ３２をグリップ筐体１０の他端部内周に組み込んで出力コネクタ部３０を構成し、グリップ筐体１０の一端部と他端部間が空気室１５となっている。コネクタアセンブリ３２はそのコネクタケース４２をグリップ筐体１０の端部に挿入することで空気室１５の気密を保つことができ、マイクロホンユニットの前部以外から音波が入り込むことを防止することによって、指向周波数応答の劣化を防止し、無指向性ダイナミックマイクロホンとしての性能を確保することができる。
【００２４】
また、無指向性ダイナミックマイクロホンとして、より高い性能を確保するために、空気室１５の容積をできるだけ大きくすることが望ましいが、本発明の実施例にかかる無指向性ダイナミックマイクロホンによれば、マイクロホンユニットとコネクタアセンブリ３２との間に別の部材を介在させる必要がないから、空気室１５の容積を大きくすることができ、周波数応答の良好な無指向性ダイナミックマイクロホンを得ることができる。
【００２５】
出力コネクタ部３０を構成するコネクタアセンブリ３２は、コネクタアセンブリ３２を構成する円筒形状のコネクタケース４２がグリップ筐体１０の端部に着脱可能に構成されているので、メンテナンス時には、止めねじ４４をベース３８に向かってねじ込むことによってコネクタアセンブリ３２をグリップ筐体１０から容易に取り外すことができ、メンテナンス後は再びコネクタアセンブリ３２をグリップ筐体１０に装着するだけでよく、メンテナンスが極めて容易である。
【００２６】
空気室１５が完全な密閉状態にあるとすれば、大気圧の変動により空気室１５の気圧と差が生じ、ダイヤフラム状振動板２６の位置が変動する。すなわち、大気圧が低くなると振動板２６が外方に向かって膨らみ、大気圧が高くなると振動板２６が内方に向かって押される。いずれにせよ、振動板２６の位置が変動すると、所期の性能を発揮することができなくなる。そこで、大気圧の変動に追随して空気室１５の気圧が変動するように、空気室１５と外気とを僅かながらも連通させることが望ましい。その点、本発明の実施例によれば、コネクタアセンブリ３２をグリップ筐体１０に挿入する構成になっていて、特別の気密保持構造をとるものではないので、大気圧の変動程度の緩やかな変動に対応して空気室１５と外気とを連通させ、空気室１５の気圧と大気圧とを常時バランスさせることができる。また、空気室１５の気圧と大気圧とを常時バランスさせるために、コネクタアセンブリ３２のコネクタケース４２の外周面と、このコネクタケース４２が嵌まるグリップ筐体１０の内周面との間に、図１、図３に示すような、微小なギャップＧが生じるように予め設計してもよい。こうすることによって低域の周波数応答を改善することができる効果もある。
【図面の簡単な説明】
【００２７】
【図１】本発明にかかる無指向性ダイナミックマイクロホンの実施例を示す縦断面図である。
【図２】上記実施例中の出力コネクタ部を示す分解縦断面図である。
【図３】上記実施例中の出力コネクタ部を示す縦断面図である。
【図４】従来の無指向性ダイナミックマイクロホンの例を示す縦断面図である。
【図５】従来の無指向性ダイナミックマイクロホンにおける出力コネクタ部の例を示す縦断面図である。
【図６】従来の無指向性ダイナミックマイクロホンにおける出力コネクタ部の別の例を示す縦断面図である。
【図７】従来の無指向性ダイナミックマイクロホンにおける出力コネクタ部のさらに別の例を示す縦断面図である。
【符号の説明】
【００２８】
１０    グリップ筐体
１１    拡径部
１５    空気室
２０    ダイナミックマイクロホンユニット
２６    振動板
３０    出力コネクタ部
３２    コネクタアセンブリ
３４    ピンインサート
３６    ピン
３８    ベース
４０    接地用端子板
４２    コネクタケース
４４    止めねじ
【図１】
2008053807.tif 000003
【図２】
2008053807.tif 000004
【図３】
2008053807.tif 000005
【図４】
2008053807.tif 000006
【図５】
2008053807.tif 000007
【図６】
2008053807.tif 000008
【図７】
2008053807.tif 000009